(57)【特許請求の範囲】
【請求項１】
プラスチックフォームの筒状網からなる、果実類を包装するための筒状包装具であって、
前記筒状網が、
第１端部(22a)側の網目が小である第１端筒部（22）と、第１端部(22a)とは長さ方向に反対側の第２端部(23a)側の網目が大である第２端筒部（23）と、第１端筒部(22)と第２端筒部(23)の間にある中間筒部を有している筒状網(21)であり、
前記中間筒部が、第１端筒部（22）と接する網目が大である第１中間筒部（24）と、第２端筒部（23）と接する網目が小である第２中間筒部（25）を有しているものであり、
それぞれの網目の大きさが、第１端筒部（22）の網目の大きさ≒第２中間筒部（25）の網目の大きさ＜第１中間筒部（24）の網目の大きさ≒第２端筒部（23）の網目の大きさの関係を有しており、
筒状網(21)の長さがＬ２１で、筒状網(21)の長さ（Ｌ２１）が各部分の合計長さであり、第１端筒部(22)の長さ（Ｌ２２）、第２端筒部(23)の長さ（Ｌ２３）、第１中間筒部(24)の長さ（Ｌ２４）および第２中間筒部(25)の長さ（Ｌ２５）が、Ｌ２２≒1/2Ｌ２５≦Ｌ２３≒1/2Ｌ２４の関係を満たしているものであり、
前記筒状包装具が、
最内層に第１端筒部(22)と折り返された第１中間筒部(24)の一部が位置し、
最外層に第２端筒部(23)と折り返された第２中間筒部（25）の一部が位置し、
中間層に折り返された第１中間筒部(24)の残部と折り返された第２中間筒部（25）の残部が位置する厚さ方向に三層構造を有しているものであり、
第１端筒部(22)の第１端部(22a)と第２端筒部(23)の第２端部(23a)が中心軸の反対方向に位置しているものであり、
前記果実類を容器底部に置くとき、前記果実類の下部側に前記網目が小である部分のみからなる三層が形成され、前記果実類の上部側に前記網目が大である部分のみからなる三層が形成されるものである、果実類を包装するための筒状包装具。
【請求項２】
請求項１に記載の筒状包装具を用いた果実類の包装方法であって、
収穫前に果実類が植物本体に付いていた方を上部とし、反対側を下部とするとき、
前記筒状包装具の筒状孔のいずれか一方側から、果実類の下部側から果実類を詰める手順１、
前記手順１にて果実類を詰めた筒状包装具を果実類の下部側が下になるように運搬容器の底面に置く手順２を有している、果実類の包装方法。
【発明の詳細な説明】
【技術分野】
【０００１】
本発明は、果実類の筒状包装具および果実類の包装方法に関する。
【背景技術】
【０００２】
桃、リンゴなどの果実を出荷するときは、果実保護のためプラスチックフォームの網からなる、一般にはフルーツキャップと称されている筒状網容器で包装して出荷することが多い。
【０００３】
従来のフルーツキャップは、網目の小さい部分201と網目の大きい部分202を有する筒状網が図１５に示すように半分に折り返された二層構造からなるものであり、果物100を内部空間に詰め込んで包装する。
しかし、従来のフルーツキャップを使用した包装では、二層構造からなる開口部が拡がりやすくなり、果物（桃）100の下部102（桃は収穫時の枝側）と容器底部150が接触してしまうため、損傷を防ぐ目的で、フルーツキャップとは別に容器底部に敷くための発泡緩衝材などが必要であった。
【０００４】
特許文献１には、果実類の個包装においてその鮮度を保持できる発泡ネットの発明が記載されている。しかし、材質に特徴があるポリオレフィン系樹脂食品鮮度保持用発泡ネットの発明であり、ネット自体の層構造については具体的な記載がない。
【先行技術文献】
【特許文献】
【０００５】
【特許文献１】特開２０１３−２２７０７６号公報
【発明の概要】
【発明が解決しようとする課題】
【０００６】
本発明は、果実類を傷つけることなく輸送することができる、果実類を包装するための筒状包装具と、それを使用する果実類の包装方法を提供することを課題とする。
【課題を解決するための手段】
【０００７】
本発明は、プラスチックフォームの筒状網(1)からなる、果実類を包装するための筒状包装具であって、
筒状網(1)が、
第１端部(2a)側の網目が小である第１端筒部(2)と、第１端部(2a)とは長さ方向に反対側の第２端部(3a)側の網目が小である第２端筒部(3)と、第１端筒部(2)と第２端筒部(3)の間にある網目が大である中間筒部(4)を有しているものであり、
それぞれの網目の大きさが、第１端筒部(2)の網目の大きさ≒第２端筒部(3)の網目の大きさ＜中間筒部(4)の網目の大きさの関係を有しており、
筒状網(1)の長さ（Ｌ１）が各部分の合計長さであり、第１端筒部(2)の長さ（Ｌ２）、第２端筒部(3)の長さ（Ｌ３）および中間筒部(4)の長さ（Ｌ４）がＬ２≒Ｌ３＜Ｌ４の関係を満たしているものであり、
前記筒状包装具が、筒状網(1)の第１端筒部(2)が第２端部(3a)から突き出されるように内側に折り返されているものである、果実類を包装するための筒状包装具と、それを使用した果実類の包装方法を提供する。
【０００８】
また本発明は、プラスチックフォームの筒状網からなる、果実類を包装するための筒状包装具であって、
前記筒状網が、
第１端部側の第１端筒部と、第１端部とは長さ方向に反対側の第２端部側の第２端筒部と、第１端筒部と第２端筒部の間にある少なくとも一つの中間筒部を有しており、
前記第１端筒部、前記少なくとも一つの中間筒部および前記第２端筒部が、網目が小である部分と網目が大である部分が長さ方向に交互に形成されるように配置されており、
前記網目が小である部分が複数あるときはそれぞれが同じ網目の大きさであり、前記網目が大である部分が複数あるときはそれぞれが同じ網目の大きさであるものであり、
前記筒状包装具が、
前記筒状網が内側または外側に折り返されることで厚さ方向に三層以上が形成されており、
最内層に第１端筒部が位置し、最外層に第２端筒部が位置し、中間層に折り返された中間筒部が位置しているか、または最内層に第２端筒部が位置し、最外層に第１端筒部が位置し、中間層に折り返された中間筒部が位置しているものである、果実類を包装するための筒状包装具と、それを使用した果実類の包装方法を提供する。
【発明の効果】
【０００９】
本発明の筒状包装具を用いて果実類を包装すると、輸送時、特に長期輸送時においても果実類が傷つくことが防止できる。
【図面の簡単な説明】
【００１０】
【図１】（ａ）は、本発明の筒状包装具を作るための筒状網の平面図、（ｂ）は（ａ）の筒状網から得られた筒状包装具の一実施形態の平面図、（ｃ）は、（ａ）の筒状網から得られた筒状包装具の別実施形態の平面図。
【図２】本発明の筒状包装具を作るために使用する筒状網の部分拡大平面図であり、（ａ）は網目の小さな部分の拡大平面図、（ｂ）は網目の大きな部分の拡大平面図。
【図３】（ａ）は、図１（ｂ）に示す筒状包装具の縦方向断面図、（ｂ）は（ａ）の筒状包装具に果実を詰めた状態の図であり、果実は正面図で示している。
【図４】（ａ）は、図１（ｃ）に示す別実施形態である筒状包装具の縦方向断面図、（ｂ）は（ａ）の筒状包装具に果実を詰めた状態の図であり、果実は正面図で示している。
【図５】（ａ）は、本発明のさらに別実施形態である筒状包装具を作るための筒状網の平面図、（ｂ）は（ａ）の筒状網から得られた筒状包装具の平面図。
【図６】（ａ）は、図５（ｂ）に示すさらに別実施形態である筒状包装具の縦方向断面図、（ｂ）は（ａ）の筒状包装具に果実を詰めた状態の図であり、果実は正面図で示している。
【図７】（ａ）は、さらに別実施形態である筒状包装具の縦方向断面図、（ｂ）は（ａ）の筒状包装具に果実を詰めた状態の図であり、果実は正面図で示している。
【図８】（ａ）は、本発明のさらに別実施形態である筒状包装具を作るための筒状網の平面図、（ｂ）は（ａ）の筒状網から得られた筒状包装具の平面図。
【図９】（ａ）は、図８（ｂ）に示すさらに別実施形態である筒状包装具の縦方向断面図、（ｂ）は（ａ）の筒状包装具に果実を詰めた状態の図であり、果実は正面図で示している。
【図１０】（ａ）は、さらに別実施形態である筒状包装具の縦方向断面図、（ｂ）は（ａ）の筒状包装具に果実を詰めた状態の図であり、果実は正面図で示している。
【図１１】（ａ）は、さらに別実施形態である筒状包装具の縦方向断面図、（ｂ）は（ａ）の筒状包装具に果実を詰めた状態の図であり、果実は正面図で示している。
【図１２】（ａ）は、図１１（ｂ）に示すさらに別実施形態である筒状包装具の縦方向断面図、（ｂ）は（ａ）の筒状包装具に果実を詰めた状態の図であり、果実は正面図で示している。
【図１３】（ａ）は、さらに別実施形態である筒状包装具の縦方向断面図、（ｂ）は（ａ）の筒状包装具に果実を詰めた状態の図であり、果実は正面図で示している。
【図１４】（ａ）は、図１３（ｂ）に示すさらに別実施形態である筒状包装具の縦方向断面図、（ｂ）は（ａ）の筒状包装具に果実を詰めた状態の図であり、果実は正面図で示している。
【図１５】従来技術の筒状包装具に果実を詰めた状態の図であり、果実は正面図で示している。
【発明を実施するための形態】
【００１１】
本発明の筒状包装具は、果実類を包装するために使用するものであり、包装した状態で運搬したり、店頭に陳列して販売したりするときに使用するものである。
本発明における果実類とは、果実、果実的野菜、野菜を含むものである。
果実は、桃、リンゴ、梨、柿、ブドウ、びわ、柑橘類、などである。
果実的野菜は、メロン、イチゴ、マンゴー、スイカなどである。
野菜は、トマトなどである。
以下、本発明の筒状包装具とそれを用いた包装方法の好ましい実施形態を説明するが、果実類の上下を説明するとき、果実類の種類により異なる。
桃は、収穫前に枝などの植物本体に付いていた方を「下部」、反対側を「上部」として説明する。
その他の果実類は、収穫前に枝、茎または蔓などの植物本体に付いていた方を「上部」、反対側を「下部」として説明する。
果実類を筒状包装具に詰めて箱詰めするときは、筒状包装具に詰めた後、果実類の下部側が箱底面側になるように箱詰めする。
【００１２】
（１）図１、図３の筒状包装具と、それを用いた包装方法
＜筒状包装具と作り方＞
図１（ｂ）、図３（ａ）の筒状包装具５は、図１（ａ）の筒状網１を折り返して得られたものである。
筒状網１は、ポリエチレン、ポリプロピレンなどのプラスチックフォームからなるものである。
【００１３】
筒状網１は、平面形状が長方形の筒形状のものであり、大きさは包装対象となる果実類の大きさに応じて調整することができる。
筒状網１は、第１端部２ａ側の網目が小である第１端筒部２と、第１端部２ａとは長さ方向に反対側の第２端部３ａ側の網目が小である第２端筒部３と、第１端筒部２と第２端筒部３の間にある網目が大である中間筒部４を有している。
【００１４】
各部分の網目の大きさは、第１端筒部２の網目の大きさ≒（好ましくは＝）第２端筒部３の網目の大きさ＜中間筒部４の網目の大きさの関係を有しているが、これに限定されるものではない。
なお、筒状網１はプラスチックフォームからなるものであり、網目の大きさが同じになるように製造しようとした場合でも、完全に同じ大きさにすることは難しいため、「≒（好ましくは＝）」のように示している。以下において説明する他の図面の筒状網の網目の大きさの説明においても同様である。
本発明の網目の大きさとは、網目が正方形、長方形、正六角形の場合には対角線の長さ（ピッチ）で決まるものであり、網目が菱形の場合には長径の長さ（ピッチ）で決まるものである。ピッチａ、ｂは、平均値である。
プラスチックフォーム200からなる網目が図２に示すような菱形であるとき、図２（ａ）に示すように網目が小であるときのピッチａと、図２（ｂ）に示すように網目が小であるときのピッチｂはａ＜ｂであるが、果実類の包装のし易さ、果実類の保持のし易さなどから、次の関係を満たしているものが好ましい。
ａ＝７〜１５ｍｍ、ｂ＝２５〜４５ｍｍ（ここで、ａが７ｍｍのときｂは２５ｍｍ、ａが１５ｍｍのときｂは４５ｍｍとなる関係である）。ピッチａ、ｂは、包装対象となる果実類の大きさに応じて調整することができる。
一つの網目の小さい部分（図１（ａ）ではＬ２またはＬ３）の長さＬsmallとピッチａの長さＬａは、Ｌsmall／Ｌａ＝２．５〜４．０が好ましい。
一つの網目の小さい部分（図１（ａ）ではＬ２またはＬ３）の長さＬsmallは２０〜６０ｍｍの範囲であり、２０〜４０ｍｍがより好ましいが、包装対象となる果実類の大きさに応じて調整することができる。
全長（図１（ａ）ではＬ１）を１００％としたとき、網目の小さい部分の合計長さ（図１（ａ）はＬ２＋Ｌ３）は２０〜８０％、網目の大きい部分の合計長さ（図１（ｂ）ではＬ４）は８０〜２０％が好ましいが、これに制限されるものではなく、包装対象となる果実類の大きさに応じて調整することができる。
【００１５】
第１端筒部２の長さ（Ｌ２）、第２端筒部３の長さ（Ｌ３）および中間筒部４の長さ（Ｌ４）は、Ｌ２≒（好ましくは＝）Ｌ３＜Ｌ４の関係を満たしている。
筒状網１の長さ（Ｌ１）は、Ｌ２、Ｌ３、Ｌ４の合計長さである。
なお、筒状網１はプラスチックフォームからなるものであり、Ｌ２とＬ３が同じ長さになるように製造しようとした場合でも、完全に同じ長さにすることは難しいため、「Ｌ２≒（好ましくは＝）Ｌ３」のように示している。以下において説明する他の図面の筒状網の説明においても同様である。
【００１６】
図１（ｂ）、図２（ａ）に示す筒状包装具５は、筒状網１の第１端筒部２が第２端部３ａから突き出されるように内側に折り返されているものである。
筒状包装具５は、筒状網１の第１端部２ａ側を内側に折り返して作ることができるが、第２端部３ａを外側に折り返して作ることもできる。
【００１７】
図１（ｃ）、図３（ａ）に示す筒状包装具６は、図１（ｂ）に示す筒状包装具５において、さらに第１端筒部２が第２端筒部３と接するように外側に折り返されているものである。
【００１８】
＜果実類の包装方法＞
最初に図３（ａ）に示す筒状包装具５を使用するときの包装方法を説明する。
果実（桃）100は、上部（収穫時の枝側）101と下部102を有しており、図３（ａ）の筒状包装具５の折り返し部分（中間筒部４の折り返し部分）側の開口部１０ａから、図３（ｂ）に示すように下部102側から詰め込む。
果実100を詰め込んだものを容器の底部150に置くと、果実100の重みにより網目の小さな第１端筒部２がスカート状に拡がるため、果実100の下部102側が容器の底部150と接触しなくなる。このため、輸送中においても容器底部に敷くための発泡緩衝材などを使用することなく、果実100の下部102と容器底部151が擦れて傷つくことが防止される。
なお、図３（ａ）に示す筒状包装具５を使用するときは、果実100の底部102側を開口部１０ｂ側にあて、開口部１０ａに指を当てて広げながら果物の外周面に沿って下方に反転させることにより包装することもできる。
【００１９】
次に図４（ａ）に示す筒状包装具６を使用するときの包装方法を説明する。
果実（桃）100は、上部（収穫時の枝側）101と下部102を有しており、図４（ａ）の筒状包装具５の折り返し部分（中間筒部４の折り返し部分）側の開口部１０ａから、図３（ｂ）に示すように下部102側から詰め込む。
果実100を詰め込んだものを容器の底部150に置くと、果実100の重みにより開口部１０ｂが内側に絞られて小さくなるため、果実100の下部102側が容器の底部150と接触しない。このため、輸送中においても容器底部に敷くための発泡緩衝材などを使用することなく、果実100の下部102と容器底部151が擦れて傷つくことが防止される。
なお、図４（ａ）に示す筒状包装具６を使用するときは、果実100の底部102側を開口部１０ｂ側にあて、開口部１０ａに指を当てて広げながら果物の外周面に沿って下方に反転させることにより包装することもできる。
【００２０】
（２）図５、図６、図７の筒状包装具と、それを用いた包装方法
＜筒状包装具と作り方＞
図５（ｂ）、図６の筒状包装具２７Ａは、図５（ａ）の筒状網２１から作られたものである。
筒状網２１は、ポリエチレン、ポリプロピレンなどのプラスチックフォームからなるものである。
【００２１】
筒状網２１は、平面形状が長方形の筒形状のものであり、大きさは包装対象となる果実類の大きさに応じて調整することができる。
筒状網２１は、第１端部２２ａ側の網目が小である第１端筒部２２と、第１端部２２ａとは長さ方向に反対側の第２端部２３ａ側の網目が大である第２端筒部２３と、第１端筒部２２と第２端筒部２３の間にある中間筒部を有している。
中間筒部は、第１端筒部２２と接する網目が大である第１中間筒部２４と、第２端筒部２３と接する網目が小である第２中間筒部２５を有している。
このように筒状網２１は、第１端筒部２２、第１中間筒部２４、第２中間筒部２５、第２端筒部２３が、網目が小である部分と網目が大である部分が長さ方向に交互に形成されるように配置されている。
【００２２】
各部の網目の大きさは、第１端筒部２２の網目の大きさ≒（好ましくは＝）第２中間筒部２５の網目の大きさ＜第１中間筒部２４の網目の大きさ≒（好ましくは＝）第２端筒部２３の網目の同じ大きさの関係を有しているが、これに限定されるものではない。
本発明の網目の大きさとは、網目が正方形、長方形、正六角形の場合には対角線の長さ（ピッチ）で決まるものであり、網目が菱形の場合には長径の長さ（ピッチ）で決まるものである。ピッチａ、ｂは、平均値である。
プラスチックフォーム200からなる網目が図２に示すような菱形であるとき、図２（ａ）に示すように網目が小であるときのピッチａと、図２（ｂ）に示すように網目が小であるときのピッチｂはａ＜ｂであるが、果実類の包装のし易さ、果実類の保持のし易さなどから、次の関係を満たしているものが好ましい。
ａ＝７〜１５ｍｍ、ｂ＝２５〜４５ｍｍ（ここで、ａが７ｍｍのときｂは２５ｍｍ、ａが１５ｍｍのときｂは４５ｍｍとなる関係である）。ピッチａ、ｂは、包装対象となる果実類の大きさに応じて調整することができる。
一つの網目の小さい部分（図５（ａ）ではＬ２２または1/2Ｌ２５）の長さＬsmallとピッチａの長さＬａは、Ｌsmall／Ｌａ＝２．５〜４．０が好ましい。
一つの網目の小さい部分（図１（ａ）ではＬ２２または1/2Ｌ２５）の長さＬsmallは２０〜６０ｍｍの範囲であり、２０〜４０ｍｍがより好ましいが、包装対象となる果実類の大きさに応じて調整することができる
全長（図５（ａ）ではＬ２１）を１００％としたとき、網目の小さい部分の合計長さ（図５（ａ）はＬ２２＋Ｌ２５）は２０〜８０％、網目の大きい部分の合計長さ（図５（ａ）ではＬ２３＋Ｌ２４）は８０〜２０％が好ましいが、これに制限されるものではなく、包装対象となる果実類の大きさに応じて調整することができる。
【００２３】
第１端筒部２２の長さ（Ｌ２２）、第２端筒部２３の長さ（Ｌ２３）、第１中間筒部２４の長さ（Ｌ２４）および第２中間筒部２５の長さ（Ｌ２５）は、Ｌ２２≒（好ましくは＝）Ｌ２５/２≦Ｌ２３≒（好ましくは＝）1/2Ｌ２４の関係を満たしている。
筒状網２１の長さ（Ｌ２１）は、Ｌ２２、Ｌ２３、Ｌ２４およびＬ２５の合計長さである。
【００２４】
筒状包装具２７Ａは、厚さ方向に次の各層からなる三層構造を有しているものである。
最内層には、第１端筒部２２と折り返された第１中間筒部２４の一部（約半分）が位置している。
最外層には、第２端筒部２３と折り返された第２中間筒部２５の一部（約半分）が位置している。
中間層には、折り返された第１中間筒部２４の残部と折り返された第２中間筒部２５の残部が位置している。
第１端筒部２２の端部と第２端筒部２３の端部は、それぞれが中心軸（筒状包装具２７Ａの筒状空間を通る中心軸）の反対方向に位置している。
【００２５】
図６に示す筒状包装具２７Ａは、筒状網２１の第１端部２２ａ側を長さＬ２２と1/2Ｌ２４の合計長さだけ内側に折り返した後、筒状網２１の第２端部２３ａ側を長さＬ２３と1/2Ｌ２５の合計長さだけ外側に折り返して作ることができるが、同じものができるのであれば、折り返し順序および折り返しの向き（内側または外側）は制限されるものではない。
【００２６】
図７に示す筒状包装具２７Ｂは、図６に示す筒状包装具２７Ａと同様に図５（ａ）の筒状網２１を使用しているが、層構造が異なるものである。
筒状包装具２７Ｂは、厚さ方向に次の各層からなる三層構造を有しているものである。
最内層には、第２端筒部２３と折り返された第２中間筒部２５の一部（約半分）が位置している。
最外層には、第１端筒部２２と折り返された第１中間筒部２４の一部（約半分）が位置している。
中間層には、折り返された第２中間筒部２５の残部と折り返された第１中間筒部２４の残部が位置している。
第１端筒部２２の第１端部２２ａと第２端筒部２３の第２端部２３ａは、それぞれが中心軸（筒状包装具２７Ａの筒状空間を通る中心軸）の反対方向に位置している。
【００２７】
図７の筒状包装具２７Ｂは、筒状網２１の第２端部２３ａ側から長さＬ２３と1/2Ｌ２５の合計長さだけ内側に折り返し、筒状網２１の第１端部２２ａ側から長さＬ２２と1/2Ｌ２４の合計長さだけ外側に折り返して作ることができるが、同じものができるのであれば、折り返し順序および折り返しの向き（内側または外側）は制限されるものではない。
【００２８】
＜果実類の包装方法＞
最初に図６（ａ）に示す筒状包装具２７Ａを使用するときの包装方法を説明する。
果実（桃）100は、上部101と下部102を有しており、図６（ａ）の筒状包装具２７Ａの折り返し部分（第１中間筒部２４の折り返し部分）側の開口部２０ａから、図６（ｂ）に示すように下部102側から詰め込む。
筒状包装具２７Ａは三層構造になっているため、果実100を詰め込んだ状態で容器の底部150に置くと、果実100の重みにより開口部２０ｂが内側に絞られて小さくなるため、果実100の下部102側と容器の底部150がと接触しなくなる。このため、輸送中においても容器底部に敷くための発泡緩衝材などを使用することなく、果実100と容器底部150が擦れて傷つくことが防止される。
なお、図６（ａ）に示す筒状包装具２７Ａを使用するときは、果実100の底部102側を開口部２０ｂ側にあて、開口部２０ａに指を当てて広げながら果物の外周面に沿って下方に反転させることにより包装することもできる。
【００２９】
次に、図７（ａ）に示す筒状包装具２７Ｂを使用するときの包装方法を説明する。
果実（桃）100は、上部（収穫時の枝側）101と下部102を有しており、図７（ａ）の筒状包装具２７Ｂの第２端筒部２３側の開口部２０ａから、図７（ｂ）に示すように下部102側から詰め込む。
筒状包装具２７Ｂは三層構造になっているため、果実100を詰め込んだ状態で容器の底部150に置くと、果実100の重みにより開口部２０ｂが内側に絞られて小さくなるため、果実100の下部102側と容器の底部150がと接触しなくなる。このため、輸送中においても容器底部に敷くための発泡緩衝材などを使用することなく、果実100と容器底部150が擦れて傷つくことが防止される。
なお、図７（ａ）に示す筒状包装具２７Ｂを使用するときは、果実100の底部102側を開口部２０ｂ側にあて、開口部２０ａに指を当てて広げながら果物の外周面に沿って下方に反転させることにより包装することもできる。
【００３０】
（３）図８、図９、図１０の筒状包装具と、それを用いた包装方法
＜筒状包装具と作り方＞
図８（ｂ）、図９（ａ）の筒状包装具３７Ａは、図８（ａ）の筒状網３１から作られたものである。
筒状網３１は、ポリエチレン、ポリプロピレンなどのプラスチックフォームからなるものである。
【００３１】
筒状網３１は、平面形状が長方形の筒形状のものであり、大きさは包装対象となる果実類の大きさに応じて調整することができる。
筒状網３１は、第１端部３２ａ側の網目が小である第１端筒部３２と、第１端部３２ａとは長さ方向に反対側の第２端部３３ａ側の網目が大である第２端筒部３３と、第１端筒部３２と第２端筒部３３の間にある中間筒部を有している。
中間筒部は、第１端筒部３２と接する網目が大である第１中間筒部３４と、第２端筒部３３と接する網目が小である第２中間筒部３５を有している。
このように筒状網３１は、第１端筒部３２、第１中間筒部３４、第２中間筒部３５、第２端筒部３３が、網目が小である部分と網目が大である部分が長さ方向に交互に形成されるように配置されている。
【００３２】
各部の網目の大きさは、第１端筒部３２の網目の大きさ≒（好ましくは＝）第２中間筒部３５の網目の大きさ＜第１中間筒部３４の網目の大きさ≒（好ましくは＝）第２端筒部３３の網目の大きさの関係を有している。
本発明の網目の大きさとは、網目が正方形、長方形、正六角形の場合には対角線の長さ（ピッチ）で決まるものであり、網目が菱形の場合には長径の長さ（ピッチ）で決まるものである。ピッチａ、ｂは、平均値である。
プラスチックフォーム200からなる網目が図２に示すような菱形であるとき、図２（ａ）に示すように網目が小であるときのピッチａと、図２（ｂ）に示すように網目が小であるときのピッチｂはａ＜ｂであるが、果実類の包装のし易さ、果実類の保持のし易さなどから、次の関係を満たしているものが好ましい。
ａ＝７〜１５ｍｍ、ｂ＝２５〜４５ｍｍ（ここで、ａが７ｍｍのときｂは２５ｍｍ、ａが１５ｍｍのときｂは４５ｍｍとなる関係である）。ピッチａ、ｂは、包装対象となる果実類の大きさに応じて調整することができる。
一つの網目の小さい部分（図８（ａ）ではＬ３２またはＬ３５）の長さＬsmallとピッチａの長さＬａは、Ｌsmall／Ｌａ＝２．５〜４．０が好ましい。
一つの網目の小さい部分（図８（ａ）ではＬ３２または1/2Ｌ３５）の長さＬsmallは２０〜６０ｍｍの範囲であり、２０〜４０ｍｍがより好ましいが、包装対象となる果実類の大きさに応じて調整することができる。
全長（図８（ａ）ではＬ３１）を１００％としたとき、網目の小さい部分の合計長さ（図８（ａ）はＬ３２＋Ｌ３５）は２０〜８０％、網目の大きい部分の合計長さ（図８（ａ）ではＬ３３＋Ｌ３４）は８０〜２０％が好ましいが、これに制限されるものではなく、包装対象となる果実類の大きさに応じて調整することができる。
【００３３】
第１端筒部３２の長さ（Ｌ３２）、第２端筒部３３の長さ（Ｌ３３）、第１中間筒部３４の長さ（Ｌ３４）および第２中間筒部３５の長さ（Ｌ３５）は、Ｌ３３≦Ｌ３２≒（好ましくは＝）Ｌ３５/２≦Ｌ３４/２の関係を満たしている。
筒状網３１の長さ（Ｌ３１）は、Ｌ３２、Ｌ３３、Ｌ３４およびＬ３５の合計長さである。
【００３４】
筒状包装具３７Ａは、厚さ方向に次の各層からなる三層構造を有しているものである。
最内層には、折り返された第２中間筒部３５の一部（約半分）と折り返された第１中間筒部３４の一部（約半分）が位置している。
最外層には、折り返された第２中間筒部３５の残部と第２端筒部３３が位置している。
中間層には、第２端筒部３２と折り返された第１中間筒部３４の残部が位置している。
第１端筒部３２の第１端部３２ａと第２端筒部３３の第２端部３３ａは、それぞれが中心軸（筒状包装具３７Ａの筒状空間を通る中心軸）の反対方向に位置している。
最外層は、最内層と中間層よりも短くなっている。
【００３５】
図９（ａ）の筒状包装具３７Ａは、筒状網３１の第１端部３２ａ側を長さＬ３２と1/2Ｌ３４の合計長さだけ外側に折り返した後、筒状網３１の第２端部３３ａ側を長さＬ３３と1/2Ｌ２５の合計長さだけ外側に折り返して作ることができるが、同じものができるのであれば、折り返し順序および折り返しの向き（内側または外側）は制限されるものではない。
【００３６】
図１０（ａ）筒状包装具３７Ｂは、図９（ａ）筒状包装具３７Ａと同様に図８（ａ）の筒状網３１を使用しているが、層構造が異なるものである。
筒状包装具３７Ｂは、厚さ方向に次の各層からなる三層構造を有しているものである
最内層には、第２端筒部３３と折り返された第２中間筒部３５の一部（約半分）が位置している。
最外層には、第２中間筒部３５の残部と第１中間筒部３４の一部（約半分）が位置している。
中間層には、第１端筒部３２と折り返された第２中間筒部３５の残部が位置している。
第１端筒部３２の第１端部３２ａと第２端筒部３３の第２端部３３ａは、それぞれが中心軸（筒状包装具３７Ａの筒状空間を通る中心軸）の反対方向に位置している。
最内層は、最外層と中間層よりも短くなっている。
【００３７】
図１０（ａ）の筒状包装具３７Ｂは、筒状網３１の第１端部３２ａ側を長さＬ３２と1/2Ｌ３４の合計長さだけ内側に折り返した後、筒状網３１の第２端部３３ａ側を長さＬ３３と1/2Ｌ３５の合計長さだけ内側に折り返して作ることができるが、同じものができるのであれば、折り返し順序および折り返しの向き（内側または外側）は制限されるものではない。
【００３８】
＜果実類の包装方法＞
最初に図９（ａ）に示す筒状包装具３７Ａを使用するときの包装方法を説明する。
果実（桃）100は、上部101と下部102を有しており、図９（ａ）の筒状包装具３７Ａの折り返し部分（中間筒部３４の折り返し部分）側の開口部３０ａから、図９（ｂ）に示すように下部102側から詰め込む。
筒状包装具３７Ａは三層構造になっているため、果実100を詰め込んだ状態で容器の底部150に置くと、果実100の重みにより開口部３０ｂが内側に絞られて小さくなるため、果実100の下部102側と容器の底部150が接触しなくなる。このため、輸送中においても容器底部に敷くための発泡緩衝材などを使用することなく、果実100と容器底部150が擦れて傷つくことが防止される。
なお、図９（ａ）に示す筒状包装具３７Ａを使用するときは、果実100の底部102側を開口部３０ｂ側にあて、開口部３０ａに指を当てて広げながら果物の外周面に沿って下方に反転させることにより包装することもできる。
【００３９】
次に、図１０（ａ）に示す筒状包装具３７Ｂを使用するときの包装方法を説明する。
果実（桃）100は、上部（収穫時の枝側）101と下部102を有しており、図７（ａ）の筒状包装具３７Ｂの第２端筒部３３側の開口部３０ａから、図１０（ｂ）に示すように下部102側から詰め込む。
筒状包装具３７Ｂは三層構造になっているため、果実100を詰め込んだ状態で容器の底部150に置くと、果実100の重みにより開口部３０ｂが内側に絞られて小さくなるため、果実100の下部102側と容器の底部150が接触しなくなる。このため、輸送中においても容器底部に敷くための発泡緩衝材などを使用することなく、果実100と容器底部150が擦れて傷つくことが防止される。
なお、図１０（ａ）に示す筒状包装具３７Ｂを使用するときは、果実100の底部102側を開口部３０ｂ側にあて、開口部３０ａに指を当てて広げながら果物の外周面に沿って下方に反転させることにより包装することもできる。
【００４０】
（４）図１１、図１２の筒状包装具と、それを用いた包装方法
＜筒状包装具と作り方＞
図１１（ｂ）、図１２（ａ）の筒状包装具４８は、図１１（ａ）の筒状網４１から作られたものである。
筒状網４１は、ポリエチレン、ポリプロピレンなどのプラスチックフォームからなるものである。
【００４１】
筒状網４１は、平面形状が長方形の筒形状のものであり、大きさは包装対象となる果実類の大きさに応じて調整することができる。
筒状網４１は、第１端部４２ａ側の網目が小である第１端筒部４２と、第１端部４２ａとは長さ方向に反対側の第２端部４３ａ側の網目が小である第２端筒部４３と、第１端筒部４２と第２端筒部４３の間にある中間筒部を有している。
中間筒部は、第１端筒部４２と接する網目が大である第１中間筒部４４と、第２端筒部４３と接する網目が大である第２中間筒部４５と、第１中間筒部４４と第２中間筒部４５の間にある網目が小である第３中間筒部４６を有している。
このように筒状網４１は、第１端筒部４２、第１中間筒部４４、第２中間筒部４５、第３中間筒部４６、第２端筒部４３は、網目が小である部分と網目が大である部分が長さ方向に交互に形成されるように配置されている。
【００４２】
各部の網目の大きさは、第１端筒部４２の網目の大きさ＝第２端筒部４３の網目の大きさ≒（好ましくは＝）第３中間筒部４６の網目の大きさ＜第１中間筒部４４の網目の大きさ≒（好ましくは＝）第２中間筒部４５の網目の同じ大きさの関係を有している。
本発明の網目の大きさとは、網目が正方形、長方形、正六角形の場合には対角線の長さ（ピッチ）で決まるものであり、網目が菱形の場合には長径の長さ（ピッチ）で決まるものである。ピッチａ、ｂは、平均値である。
プラスチックフォーム200からなる網目が図２に示すような菱形であるとき、図２（ａ）に示すように網目が小であるときのピッチａと、図２（ｂ）に示すように網目が小であるときのピッチｂはａ＜ｂであるが、果実類の包装のし易さ、果実類の保持のし易さなどから、次の関係を満たしているものが好ましい。
ａ＝７〜１５ｍｍ、ｂ＝２５〜４５ｍｍ（ここで、ａが７ｍｍのときｂは２５ｍｍ、ａが１５ｍｍのときｂは４５ｍｍとなる関係である）。ピッチａ、ｂは、包装対象となる果実類の大きさに応じて調整することができる。
一つの網目の小さい部分（図１１（ａ）ではＬ４２、1/2Ｌ４６またはＬ４３）の長さＬsmallとピッチａの長さＬａは、Ｌsmall／Ｌａ＝２．５〜４．０が好ましい。
一つの網目の小さい部分（図１１８（ａ）ではＬ４２、1/2Ｌ４６またはＬ４３）の長さＬsmallは２０〜６０ｍｍの範囲であり、２０〜４０ｍｍがより好ましいが、包装対象となる果実類の大きさに応じて調整することができる。
全長（図１１（ａ）ではＬ４１）を１００％としたとき、網目の小さい部分の合計長さ（図１１（ａ）はＬ４２＋Ｌ４６＋Ｌ４３）は２０〜８０％、網目の大きい部分の合計長さ（図１１（ａ）ではＬ４４＋Ｌ４５）は８０〜２０％が好ましいが、これに制限されるものではなく、包装対象となる果実類の大きさに応じて調整することができる。
【００４３】
第１端筒部４２の長さ（Ｌ４２）、第２端筒部４３の長さ（Ｌ４３）、第１中間筒部４４の長さ（Ｌ４４）、第２中間筒部４５の長さ（Ｌ４５）、第３中間筒部４６の長さ（Ｌ４６）は、Ｌ４２≒（好ましくは＝）Ｌ４３≒（好ましくは＝）Ｌ４６/２＜Ｌ４４≒（好ましくは＝）Ｌ４５の関係を有している。
筒状網４１の長さ（Ｌ４１）は、Ｌ４２、Ｌ４４、Ｌ４５、Ｌ４６およびＬ４３の合計長さである。
【００４４】
図１２（ａ）に示す筒状包装具４８は、厚さ方向に次の各層からなる四層構造を有しているものである。
最内層には、第１端筒部４２と折り返された第１中間筒部４４の一部（約半分）が位置している。
最外層には、第２端筒部４３と折り返された第２中間筒部４５の一部（約半分）が位置している。
最内層側の第１中間層には、折り返された第１中間筒部４４の残部と折り返された第３中間筒部４６の一部（約半分）が位置している。
最外層側の第２中間層には、折り返された第３中間筒部４６の残部と折り返された第２中間筒部４５の残部が位置している。
第１端筒部４２の第１端部４２ａと第２端筒部４３の第２端部４３ａは、それぞれが中心軸（筒状包装具４８の筒状空間を通る中心軸）の同じ方向に位置している。
【００４５】
筒状包装具４８は、筒状網４１を第１端部４２ａ側からＬ４２と1/2Ｌ４４の合計長さだけ内側に折り返し、第２端部４３ａ側を長さＬ４３、Ｌ４５および1/2Ｌ４６の合計長さだけ外側に折り返し、さらに第２端部４３ａ側を長さ1/2Ｌ４５とＬ４３の合計長さだけ外側に折り返して作ることができるが、同じものができるのであれば、折り返し順序および折り返しの向き（内側または外側）は制限されるものではない。
【００４６】
＜果実類の包装方法＞
図１２（ａ）に示す筒状包装具４８を使用するときの包装方法を説明する。
果実（桃）100は、上部101と下部102を有しており、図１２（ａ）の筒状包装具４８の折り返し部分（第１中間筒部４４の折り返し部分）側の開口部４０ａから、図１２（ｂ）に示すように下部102側から詰め込む。
筒状包装具４８は四層構造になっているため、果実100を詰め込んだ状態で容器の底部150に置くと、果実100の重みにより開口部４０ｂが内側に絞られて小さくなるため、果実100の下部102側と容器の底部150が接触しなくなる。このため、輸送中においても容器底部に敷くための発泡緩衝材などを使用することなく、果実100と容器底部150が擦れて傷つくことが防止される。
なお、図１２（ａ）に示す筒状包装具４８を使用するときは、果実100の底部102側を開口部４０ｂ側にあて、開口部４０ａに指を当てて広げながら果物の外周面に沿って下方に反転させることにより包装することもできる。
【００４７】
（５）図１３、図１４の筒状包装具と、それを用いた包装方法
＜筒状包装具と作り方＞
図１３（ｂ）、図１４（ａ）の筒状包装具５８は、図１３（ａ）の筒状網５１から作られたものである。
筒状網５１は、ポリエチレン、ポリプロピレンなどのプラスチックフォームからなるものである。
【００４８】
筒状網５１は、平面形状が長方形の筒形状のものであり、大きさは包装対象となる果実類の大きさに応じて調整することができる。
筒状網５１は、第１端部５２ａ側の網目が大である第１端筒部５２と、第１端部５２ａとは長さ方向に反対側の第２端部５３ａ側の網目が大である第２端筒部５３と、第１端筒部５２と第２端筒部５３の間にある中間筒部を有している。
前記中間筒部は、第１端筒部５２と接する網目が小である第１中間筒部５４と、第２端筒部５３と接する網目が小である第２中間筒部５５と、第１中間筒部５４と第２中間筒部５５の間にある網目が大である第３中間筒部５６を有している。
このように筒状網５１は、第１端筒部５２、第１中間筒部５４、第３中間筒部５６、第２中間筒部５５、第２端筒部５３は、網目が小である部分と網目が大である部分が長さ方向に交互に形成されるように配置されている。
【００４９】
各部の網目の大きさは、第１中間筒部５４の網目の大きさ≒（好ましくは＝）第２中間筒部５５の網目の大きさ＜第１端筒部５２の網目の大きさ≒（好ましくは＝）第２端筒部５３の網目の大きさ≒（好ましくは＝）第３中間筒部５６の網目の大きさの関係を有している。
本発明の網目の大きさとは、網目が正方形、長方形、正六角形の場合には対角線の長さ（ピッチ）で決まるものであり、網目が菱形の場合には長径の長さ（ピッチ）で決まるものである。ピッチａ、ｂは、平均値である。
プラスチックフォーム200からなる網目が図２に示すような菱形であるとき、図２（ａ）に示すように網目が小であるときのピッチａと、図２（ｂ）に示すように網目が小であるときのピッチｂはａ＜ｂであるが、果実類の包装のし易さ、果実類の保持のし易さなどから、次の関係を満たしているものが好ましい。
ａ＝７〜１５ｍｍ、ｂ＝２５〜４５ｍｍ（ここで、ａが７ｍｍのときｂは２５ｍｍ、ａが１５ｍｍのときｂは４５ｍｍとなる関係である）。ピッチａ、ｂは、包装対象となる果実類の大きさに応じて調整することができる。
一つの網目の小さい部分（図１３（ａ）では1/2Ｌ５４または1/2Ｌ５５）の長さＬsmallとピッチａの長さＬａは、Ｌsmall／Ｌａ＝２．５〜４．０が好ましい。
一つの網目の小さい部分（図１３（ａ）では1/2Ｌ５４または1/2Ｌ５５）の長さＬsmallは２０〜６０ｍｍの範囲であり、２０〜４０ｍｍがより好ましいが、包装対象となる果実類の大きさに応じて調整することができる。
全長（図１３（ａ）ではＬ５１）を１００％としたとき、網目の小さい部分の合計長さ（図１３（ａ）はＬ５４＋Ｌ５５）は２０〜８０％、網目の大きい部分の合計長さ（図１３（ａ）ではＬ５２＋Ｌ５６＋Ｌ５３）は８０〜２０％が好ましいが、これに制限されるものではなく、包装対象となる果実類の大きさに応じて調整することができる。
【００５０】
第１端筒部の長さ（Ｌ５２）、第２端筒部の長さ（Ｌ５３）、第１中間筒部の長さ（Ｌ５４）、第２中間筒部の長さ（Ｌ５５）、第３中間部(56)の長さ（Ｌ５６）は、1/2Ｌ５４≒（好ましくは＝）1/2Ｌ５５≦Ｌ５２≒（好ましくは＝）Ｌ５３≒（好ましくは＝）1/2Ｌ５６の関係を満たしている。
筒状網(51)の長さ（Ｌ５１）は、Ｌ５２、Ｌ５４、Ｌ５６、Ｌ５５およびＬ５３の合計長さである。
【００５１】
図１４（ａ）に示す筒状包装具５８は、厚さ方向に次の各層からなる四層構造を有しているものである。
最内層には、第１端筒部５２と折り返された第１中間筒部５４の一部（約半分）が位置している。
最外層には、第２端筒部５３と折り返された第２中間筒部５５の一部（約半分）が位置している。
最内層側の第１中間層には、折り返された第１中間筒部５４の残部と折り返された第３中間筒部５６の一部（約半分）が位置している。
最外層側の第２中間層には、折り返された第３中間筒部５６の残部と折り返された第２中間筒部５５の残部が位置している。
第１端筒部５２の第１端部５２ａと第２端筒部５３の第２端部５３ａは、それぞれが中心軸（筒状包装具５８の筒状空間を通る中心軸）の同じ方向に位置している。
【００５２】
筒状包装具５８は、筒状網５１の第１端部５２ａ側から長さＬ５２と長さ1/2Ｌ５４の合計長さだけ内側に折り返し、第２端部５３ａ側から長さＬ５３、Ｌ５５および1/2Ｌ５６の合計長さだけ外側に折り返し、さらに第２端部５３ａ側から長さ1/2Ｌ５５とＬ５３の合計長さだけ外側に折り返して作ることができるが、同じものができるのであれば、折り返し順序および折り返しの向き（内側または外側）は制限されるものではない。
【００５３】
＜果実類の包装方法＞
図１４（ａ）に示す筒状包装具５８を使用するときの包装方法を説明する。
果実（桃）100は、上部101と下部102を有しており、図１４（ａ）の筒状包装具５８の第１端筒部５２側の開口部５０ａから、図１４（ｂ）に示すように下部102側から詰め込む。
筒状包装具５８は四層構造になっているため、果実100を詰め込んだ状態で容器の底部150に置くと、果実100の重みにより開口部５０ｂが内側に絞られて小さくなるため、果実100の下部102側と容器の底部150が接触しなくなる。このため、輸送中においても容器底部に敷くための発泡緩衝材などを使用することなく、果実100と容器底部150が擦れて傷つくことが防止される。
なお、図１４（ａ）に示す筒状包装具５８を使用するときは、果実100の底部102側を開口部５０ｂ側にあて、開口部５０ａに指を当てて広げながら果物の外周面に沿って下方に反転させることにより包装することもできる。
【産業上の利用可能性】
【００５４】
本発明の筒状包装具は、果実、果実的野菜、野菜などの果実類を包装するために使用することができる。
【符号の説明】
【００５５】
１、２１、３１、４１、５１  筒状網
５、６、２７Ａ、２７Ｂ、３７Ａ、３７Ｂ、４８、５８  筒状包装具
１００  果実
１５０  容器底部
【図１】
0006599147.tif 000002
【図２】
0006599147.tif 000003
【図３】
0006599147.tif 000004
【図４】
0006599147.tif 000005
【図５】
0006599147.tif 000006
【図６】
0006599147.tif 000007
【図７】
0006599147.tif 000008
【図８】
0006599147.tif 000009
【図９】
0006599147.tif 000010
【図１０】
0006599147.tif 000011
【図１１】
0006599147.tif 000012
【図１２】
0006599147.tif 000013
【図１３】
0006599147.tif 000014
【図１４】
0006599147.tif 000015
【図１５】
0006599147.tif 000016